(57)【要約】【課題】集塵手段の保守点検を容易に行うことができる空気清浄装置を提供する。【解決手段】本体ケース１１は、内部の集塵手段２０に送る空気を外部から取り入れる吸込部１２と、集塵手段２０を通過した空気を外部へ送り出す吹出部１３とを備え、本体ケース１１の相対向する２側方に面して、吸込部１２および吹出部１３とは別に、集塵手段２０を２側方よりそれぞれ本体ケース１１内に出し入れ可能な開口部１４が設けられている。【選択図】図１
2018089568.tif 000002
【特許請求の範囲】
【請求項１】
本体ケース内に空気中の塵挨を捕集する集塵手段が収納された空気清浄装置において、
前記本体ケースは、前記集塵手段に送る空気を外部から取り入れる吸込部と、前記集塵手段を通過した空気を外部へ送り出す吹出部とを備え、
前記本体ケースの相対向する２側方に面して、前記吸込部および前記吹出部とは別に、前記集塵手段を２側方よりそれぞれ本体ケース内に出し入れ可能な開口部が設けられたことを特徴とする空気清浄装置。
【請求項２】
前記本体ケース内に、外部から空気を取り入れて前記集塵手段を通過させる送風手段も収納され、
前記開口部は、前記集塵手段のほか、前記送風手段の全部または一部も出し入れ可能な大きさに形成されたことを特徴とする請求項１に記載の空気清浄装置。
【請求項３】
前記各開口部の傍らに、それぞれ前記集塵手段を前記本体ケース内の所定の収納位置に着脱可能に拘束するためのロック機構が設けられ、
前記各ロック機構は、何れか一方の拘束解除により、該一方がある側の開口部より前記集塵手段を前記本体ケース内に出し入れ可能とすることを特徴とする請求項１または２に記載の空気清浄装置。
【請求項４】
前記集塵手段は、通過する空気中の塵埃に電荷を与えて捕集する電気集塵機を少なくとも含み、
前記電気集塵機に電力を供給するための給電部は、電気集塵機における空気の流れの下流側に配置されたことを特徴とする請求項１，２または３に記載の空気清浄装置。
【請求項５】
前記給電部は、前記本体ケース側の電極接点と、前記電気集塵機側の電極接点とを備え、各電極接点は、互いに凹凸構造の嵌合によって密閉される状態で接触することを特徴とする請求項４に記載の空気清浄装置。
【発明の詳細な説明】
【技術分野】
【０００１】
本発明は、本体ケース内に空気中の塵挨を捕集する集塵手段が収納された空気清浄装置に関し、特に、パチンコ店等の遊技施設での利用に適したものである。
【背景技術】
【０００２】
従来より、この種の空気清浄装置は、吸込口から取り込んだ空気中の塵挨を捕集した後、吹出口から送り出すことで周囲の空気を清浄するものである。例えば、パチンコ店等の遊技施設に適したものとして、遊技機が複数並設された遊技機島の上に設置した際、吸込口が遊技機正面に向くように設けられた島上設置型空気清浄機が既に提案されている（特許文献１参照）。
【０００３】
このような島上設置型空気清浄機では、本体内にある集塵ユニットを保守点検のために外部へ取り出すには、吸込口から一方向へのみ引き出せるように構成されていた。一般にパチンコ店内では、遊技機島を間にして両側が通路となっている。よって、島上設置型の空気清浄機を保守点検する際は、島片側の通路上に脚立を置いて空気清浄機に触れる距離まで近づき、前記吸込口から集塵ユニットを取り出していた。
【先行技術文献】
【特許文献】
【０００４】
【特許文献１】実用新案登録第３１７５４７０号公報
【発明の概要】
【発明が解決しようとする課題】
【０００５】
しかしながら、特許文献１に記載の島上設置型空気清浄機では、本体内の集塵ユニットが吸込口から一方向へのみ引き出せる構成であるため、本体に対して保守点検できる向きが一方向のみに限られてしまい不便であった。すなわち、パチンコ店にて集塵ユニットを保守点検する際、誤って本体の吸込口とは逆側の通路に脚立を置いてしまった場合、遊技機島を回り反対側の通路まで脚立を移動させなければならなかった。
【０００６】
また、特許文献１には、空気清浄機の吸込口を２つの面に設けて、各吸込口ごとに集塵ユニットを備えるほか、本体内の集塵ユニットは１つだけでも良いことも開示されている（段落００３２）。このように、２つの吸込口に対して集塵ユニットが１つの場合、各吸込口から集塵ユニットを外部へ取り出すことも想定し得る。しかし、吸込口は、本体内の集塵ユニットとの相互的な位置や集塵能力に応じて大きさや位置が定められるため、設計上の自由度に乏しく、集塵ユニットの出し入れを兼用するような設計は困難であった。
【０００７】
本発明は、以上のような従来の技術が有する問題点に着目してなされたものであり、本体ケースの相対向する２側方のどちら側からでも、内部の集塵手段を自由に出し入れすることが可能であり、集塵手段の保守点検を容易に行うことができ、また、集塵手段を出し入れする開口部に関して、吸込口の設計仕様に何ら制限されることはなく自由に設計することができる空気清浄装置を提供することを目的としている。
【課題を解決するための手段】
【０００８】
前述した目的を達成するための本発明の要旨とするところは、以下の各項の発明に存する。  
［１］本体ケース（１１）内に空気中の塵挨を捕集する集塵手段（２０）が収納された空気清浄装置（１０）において、
前記本体ケース（１１）は、前記集塵手段（２０）に送る空気を外部から取り入れる吸込部（１２）と、前記集塵手段（２０）を通過した空気を外部へ送り出す吹出部（１３）とを備え、
前記本体ケース（１１）の相対向する２側方に面して、前記吸込部（１２）および前記吹出部（１３）とは別に、前記集塵手段（２０）を２側方よりそれぞれ本体ケース（１１）内に出し入れ可能な開口部（１４）が設けられたことを特徴とする空気清浄装置（１０）。
【０００９】
［２］前記本体ケース（１１）内に、外部から空気を取り入れて前記集塵手段（２０）を通過させる送風手段（３０）も収納され、
前記開口部（１４）は、前記集塵手段（２０）のほか、前記送風手段（３０）の全部または一部も出し入れ可能な大きさに形成されたことを特徴とする前記［１］に記載の空気清浄装置（１０）。
【００１０】
［３］前記各開口部（１４）の傍らに、それぞれ前記集塵手段（２０）を前記本体ケース（１１）内の所定の収納位置に着脱可能に拘束するためのロック機構（４０）が設けられ、
前記各ロック機構（４０）は、何れか一方の拘束解除により、該一方がある側の開口部（１４）より前記集塵手段（２０）を前記本体ケース（１１）内に出し入れ可能とすることを特徴とする前記［１］または［２］に記載の空気清浄装置（１０）。
【００１１】
［４］前記集塵手段（２０）は、通過する空気中の塵埃に電荷を与えて捕集する電気集塵機（２２）を少なくとも含み、
前記電気集塵機（２２）に電力を供給するための給電部は、電気集塵機（２２）における空気の流れの下流側に配置されたことを特徴とする前記［１］，［２］または［３］に記載の空気清浄装置（１０）。
【００１２】
［５］前記給電部は、前記本体ケース（１１）側の電極接点（２８）と、前記電気集塵機（２２）側の電極接点（２４）とを備え、各電極接点（２４，２８）は、互いに凹凸構造の嵌合によって密閉される状態で接触することを特徴とする前記［４］に記載の空気清浄装置（１０）。
【００１３】
次に、前述した解決手段に基づく作用を説明する。  
前記［１］に記載の空気清浄装置（１０）によれば、本体ケース（１１）の相対向する２側方に面して開口部（１４）があり、いずれの開口部（１４）からでも本体ケース（１１）内の集塵手段（２０）を出し入れすることができる。
【００１４】
ここで各開口部（１４）は、本体ケース（１１）にある空気の吸込部（１２）や吹出部（１３）とは別であり、これらの位置や大きさ等の設計仕様（条件）に制限されることなく、独立した開口として自由に設計することができる。また、集塵手段（２０）は、吸込部（１２）や吹出部（１３）に対して干渉することなく、各開口部（１４）から自由に出し入れすることができる。
【００１５】
空気清浄装置（１０）の設置箇所において、当該箇所の例えば両側に通路（作業スペース）がある場合、各開口部（１４）がそれぞれ通路側を向くように配置すると良い。これにより、空気清浄装置（１０）に対して、どちらの通路側からでも開口部（１４）に近づくことが可能となる。よって、空気清浄装置（１０）に対する方向性を特に気にすることもなく、容易に集塵手段（２０）を取り出して保守点検を行うことができる。
【００１６】
前記［２］に記載の空気清浄装置（１０）によれば、本体ケース（１１）内には、外部から空気を取り入れて集塵手段（２０）を通過させる送風手段（３０）も収納されている。そして、前記開口部（１４）は、集塵手段（２０）のほか、送風手段（３０）の全部または一部も出し入れ可能な大きさに形成されている。
【００１７】
よって、送風手段（３０）についても、本体ケース（１１）の２側方よりそれぞれ本体ケース（１１）内に出し入れすることができる。ここで送風手段（３０）がユニットとして着脱可能に構成されている場合、全部をまとめて出し入れしても良い。あるいは、送風手段（３０）の要部であるフィンの部分だけ等を、本体から外して取り出せるようにしても良い。
【００１８】
前記［３］に記載の空気清浄装置（１０）によれば、前記各開口部（１４）の傍らに、それぞれ集塵手段（２０）を本体ケース（１１）内の所定の収納位置に着脱可能に拘束するためのロック機構（４０）が設けられている。ここで各ロック機構（４０）は、何れか一方の拘束解除により、該一方がある側の開口部（１４）から集塵手段（２０）を本体ケース（１１）内に出し入れ可能となる。
【００１９】
よって、他方の開口部（１４）側のロック機構（４０）は操作することなく、一方の開口部（１４）側のロック機構（４０）の操作だけで、集塵手段（２０）を出し入れする側の開口部（１４）から拘束ないし拘束解除することができる。このようなロック機構（４０）によって、本体ケース（１１）内の所定の収納位置に集塵手段（２０）を確実に保持することができ、また容易に取り外すことも可能となる。
【００２０】
前記［４］に記載の空気清浄装置（１０）によれば、前記集塵手段（２０）は、通過する空気中の塵埃に電荷を与えて捕集する電気集塵機（２２）を少なくとも含むものである。この電気集塵機（２２）に電力を供給するための給電部は、電気集塵機（２２）における空気の流れの下流側に配置される。
【００２１】
パチンコ店等の遊技施設のように、喫煙者の割合が比較的多く環境負荷が大きい設置箇所では、電気集塵機（２２）にも汚れが付着しやすい。電気集塵機（２２）の給電部の電極接点に汚れが付着すると、高電圧が汚れを伝い放電する現象（リーク）が発生して問題となる。よって、電気集塵機（２２）の下流側、すなわち清浄後の空気が通過するエリアに給電部を配置することで、給電部への汚れの付着を極力防止することができる。
【００２２】
前記［５］に記載の空気清浄装置（１０）によれば、前記給電部は、本体ケース（１１）側の電極接点（２８）と、電気集塵機（２２）側の電極接点（２４）とを備え、各電極接点（２４，２８）は、互いに凹凸構造の嵌合によって密閉される状態で接触する。これにより、各電極接点（２４，２８）が位置ずれすることはなく、確実に接触させることができる。また、各電極接点（２４，２８）は接触した状態では外部に露出しないため、汚れの侵入を防ぐことができる。
【発明の効果】
【００２３】
本発明に係る空気清浄装置によれば、本体ケースの相対向する２側方のどちら側からでも、内部の集塵手段を自由に出し入れすることが可能であり、集塵手段の保守点検を容易に行うことができる。また、集塵手段の出し入れに関して、吸込口に何ら制限されることはなく自由に設計することができる。
【図面の簡単な説明】
【００２４】
【図１】本発明の実施の形態に係る空気清浄装置を一部分解して示す斜視図である。
【図２】本発明の実施の形態に係る空気清浄装置を前方から見た斜視図である。
【図３】本発明の実施の形態に係る空気清浄装置を後方から見た斜視図である。
【図４】本発明の実施の形態に係る空気清浄装置を示す側面図である。
【図５】本発明の実施の形態に係る空気清浄装置を一部分解して示す斜視図である。
【図６】本発明の実施の形態に係る空気清浄装置にて電気集塵機を出し入れする状態を示す斜視図である。
【図７】本発明の実施の形態に係る空気清浄装置の内部にて電気集塵機の出し入れを説明するための斜視図である。
【図８】本発明の実施の形態に係る空気清浄装置の内部にて電気集塵機の給電部の動きを説明するための斜視図である。
【図９】本発明の実施の形態に係る空気清浄装置の内部にて電気集塵機の給電部の動きを説明するために一部拡大した斜視図（図８中の破線丸部分）である。
【図１０】本発明の実施の形態に係る空気清浄装置の内部にて電気集塵機の給電部の動きを説明するために一部拡大した断面図である。
【図１１】本発明の実施の形態に係る空気清浄装置のロック機構の拘束状態を説明するための斜視図である。
【図１２】本発明の実施の形態に係る空気清浄装置のロック機構の拘束解除状態を説明するための斜視図である。
【図１３】本発明の実施の形態に係る空気清浄装置のロック機構の拘束解除状態におけるツマミの位置を示すために一部拡大した側面図である。
【図１４】本発明の実施の形態に係る空気清浄装置における集塵手段の出し入れを示す説明図である。
【図１５】本発明の実施の形態に係る空気清浄装置を遊技機島に設置した使用例を示す斜視図である。
【発明を実施するための形態】
【００２５】
以下、図面に基づき、本発明を代表する実施の形態を説明する。
本実施の形態に係る空気清浄装置１０は、本体ケース１１内に空気中の塵挨を捕集する集塵手段２０が収納され、外部の空気を内部に取り込んで清浄し、清浄後の空気を外部へ送り出すものである。以下、空気清浄装置１０を、パチンコ店における遊技機島１に設置した場合を例に説明する。
【００２６】
図１〜図４に示すように、空気清浄装置１０は、略立方体の箱状に形成された本体ケース１１内に集塵手段２０を含む関連部品が収納され、図１５に示す遊技機島１の上部に、そのまま設置できる大きさに構成されている。ここで遊技機島１は、パチンコ店内で複数の遊技機（パチンコ機）２が前後２列となる背中合わせに並設されたものである。パチンコ店内では、遊技機島１を中心として、その両側は通路となっている。
【００２７】
空気清浄装置１０の本体ケース１１は、空気を外部から取り入れる吸込部１２と、集塵手段２０を通過した空気を外部へ送り出す吹出部１３とを備えている。本体ケース１１には、吸込部１２と吹出部１３とは別に、相対向する２側方に面して、集塵手段２０を２側方より本体ケース１１内に出し入れ可能な開口部１４が設けられている。開口部１４は、吸込部１２や吹出部１３に集塵手段２０を干渉させることなく出し入れできる大きさに設けられている。
【００２８】
図１，図５に示すように、本体ケース１１は、前後に長い立方体の箱状に形成されており、長方形の底面部１５および天井部１６と、これらの間を支持する支柱材１７ａ，１７ｂからなる枠組みを備えている。枠組みの前面側は、そのまま開口しており、該開口を吸気カバー１２０で覆って吸込部１２が形成されている。枠組みの後面側も、図中に示されていないが開口しており、該開口を排気カバー１３０で覆って吹出部１３が形成されている。
【００２９】
本体ケース１１の枠組みの両側面は、前後の各カバー１２０，１３０の側端で覆われる部位を除いて大きく側方に開口しており、該開口のうち後述の送風手段３０が占める部位を除いて開口部１４となっている。各開口部１４は、通常時は保守カバー６０で塞がれており、さらに保守カバー６０の上から側面パネル５０で覆われている。
【００３０】
本体ケース１１は、前面側の吸気カバー１２０と、後面側の排気カバー１３０と、両側面を覆う一対の側面パネル５０，５０、それに底面部１５と天井部１６とから外郭が形成されている。本体ケース１１の天井部１６や、吸込部１２や吹出部１３におけるカバー１２０，１３０等の各構成部品は、例えば、ステンレス等の金属により形成される。かかる金属材質だと、特に塗装をしなければ汚れが目立つこともない。
【００３１】
吸込部１２では、吸気カバー１２０に多数設けられた穴を通じて外部の空気が本体ケース１１内に取り入れられる。一方、吹出部１３では、排気カバー１３０に多数設けられた穴を通じて清浄後の空気が本体ケース１１外へ送り出される。ここで穴は図示した例では（図１３参照）、六角形の穴を前後左右に密に並べて穿設したハニカムパンチングであり、丸穴よりも同一面積内における開口率を高くすることができる。
【００３２】
吸気カバー１２０や排気カバー１３０における各穴の大きさ（開口径）は、遊技機の遊技媒体である遊技球の直径よりも小さく設定されている。これにより、パチンコ店内における遊技球の配送設備から落下した遊技球が吸込部１２や吹出部１３から入り込む事態や悪戯によるトラブルを未然に防止することができる。なお、穴の具体的な形態はハニカムパンチングに限られるものではなく、他に例えば、スリットを並べるように設けても良い。穴がいずれの形態にせよ、遊技球の直径よりも小さく設定することが好ましい。
【００３３】
吸込部１２は、本体ケース１１の前面だけでなく、両側面の前端側の一部も含むように設けられている。すなわち、吸気カバー１２０は、本体ケース１１の枠組みの前面開口に対向する正面壁に加えて、その両側に連なり本体ケース１１の両側面の前端側をなす両側壁を備えている。かかる吸気カバー１２０により、吸込部１２の前面をなす正面壁は、少なくとも両側壁の前後幅の距離だけ、後述する集塵手段２０の空気吸込側正面より離隔している。これにより、本体ケース１１の側面の一部も吸込部１２となり、吸込部１２の前面と集塵手段２０の空気吸込側正面との間に、比較的大きなスペースが確保されている。
【００３４】
吸気カバー１２０の正面壁と両側壁との角は、単に直角に折曲させることなく、アール断面形状にすることで、このアール部位にもパンチングできるように形成している。仮に、吸気カバー１２０の正面壁と両側壁とを直角に折曲させた場合、強度を保つためには当該角に穴を設けることは難しくなり、角を境に吸込部１２は、その前面と側面とに分断されることになる。なお、吹出部１３を取り囲む排気カバー１３０の構成についても同様である。
【００３５】
本空気清浄装置１０では、本体ケース１１の両側面に集塵手段２０を出し入れするための開口部１４を大きく設けた分、本体ケース１１の強度が脆弱になるが、吸気カバー１２０および排気カバー１３０により補強されている。すなわち、吸気カバー１２０および排気カバー１３０は、前記支柱材１７ａ，１７ｂとは別に面的な支柱となる。なお、本体ケース１１の補強に関しては、吸気カバー１２０だけでも足りている。かかる吸気カバー１２０により、外部から広範囲で空気を取り込む領域を確保でき、本体ケース１１の強度も維持することができる。
【００３６】
詳しく言えば、吸込部１２は、吸気カバー１２０の正面壁と両側壁の上端縁が、天井部１６の一部として分離可能な前部１６ａに接続され、本体ケース１１の枠組みの前面側に後付けするユニットとして構成されている。吸気カバー１２０の正面壁と両側壁の下端縁に沿って、底面部１５の前部１５ａの周縁に合致する補強枠１２１が固着されている。また、天井部１６の前部１６ａにも、吸込部１２の一部として細幅のスリットが並ぶ吸気口１２ａが別途設けられている。補強枠１２１にて、その正面中央より上方へ延出した部位には、持ち運ぶ際の手掛かりとなる把手部１２２が凹設されている。
【００３７】
同様に、吹出部１３は、排気カバー１３０の後面壁と両側壁の上端縁が、天井部１６の一部として分離可能な後部１６ｂに接続され、本体ケース１１の枠組みの後面側に後付けするユニットとして構成されている。排気カバー１３０の正面壁と両側壁の下端縁に沿って、底面部１５の後部１５ｂの周縁に合致する補強枠１３１が固着されている。補強枠１３１にて、その正面中央より上方へ延出した部位には、前記把手部１２２と対をなす把手部１３２が凹設されている。
【００３８】
図１に示すように、空気清浄装置１０の本体ケース１１内には、前面側の吸込部１２から後面側の吹出部１３に向かって順に、集塵手段２０をなすプレフィルター２１と電気集塵機２２、それに送風手段３０が収納されている。本実施の形態に係る集塵手段２０は、プレフィルター２１と電気集塵機２２とを基本的な構成とする。ここでプレフィルター２１と電気集塵機２２は、後述の側面パネル５０等を取り外した状態で、それぞれ本体ケース１１の両側の開口部１４より、本体ケース１１内に出し入れ可能となっている。
【００３９】
本体ケース１１内における内部空間のうち、後面開口に面した位置に送風手段３０は固定されている。送風手段３０より前方の内部空間は、前面開口に面して集塵手段２０を着脱自在な収納空間と、その下流側に広がり送風手段３０の前面に至る空き空間とに区画されている。プレフィルター２１の前面が集塵手段２０の空気吸込側正面となり、電気集塵機２２の後面が集塵手段２０の空気吐出側背面となる。なお、送風手段３０の前の空き空間は、送風手段３０の駆動時における圧力損失を防ぐためのスペースであり、また、前記開口部１４から送風手段３０の部品である後述のファン３２を取り出すために必要となる。
【００４０】
プレフィルター２１は、吸込部１２から取り込んだ空気が始めに通過して比較的大きな塵埃を捕集するものである。ここで塵挨とは、綿ゴミ、糸屑、その他、除去されるべき粒子を広く含むものである。プレフィルター２１は、枠組み状の取付枠２１０に、金属網をプリーツ状に繰り返し折り曲げたフィルター材２１１を取り付け、その内側に、不織布や樹脂製の網目状のシート等を重ねて構成されている。かかるプレフィルター２１は、目詰まりを防ぐために定期的にフィルター材２１１を清掃する必要があり、またシートが劣化した場合には新品に交換する必要もある。
【００４１】
プレフィルター２１の取付枠２１０の開口面積が、集塵手段２０の空気吸込側正面の面積に相当する。前記吸込部１２における開口面積は、少なくともプレフィルター２１の取付枠２１０の開口面積と同等以上になるように設定されている。ここで吸込部１２の開口面積とは、吸気カバー１２０にある各孔の面積の合計である。吸込部１２の開口面積が、取付枠２１０の開口面積に対して大きいほど、吸込部１２における空気の吸引効率を高めることができる。
【００４２】
また、吸込部１２の開口面積は、フィルター材２１１自体の表面積よりは小さく設定されており、集塵機能の向上が図られている。なお、吸込部１２の開口面積に関して、前記吸気口１２ａの分は特に考慮しなくても構わない。また、吹出部１３の開口面積は、排気カバー１３０にある各孔の面積の合計であるが、かかる吹出部１３の開口面積も、適宜設定し得る設計事項である。
【００４３】
電気集塵機２２は、前記プレフィルター２１を通過してきた空気中に未だ含まれている比較的小さい塵埃に電荷を与えて捕集するものである。電気集塵機２２は、流入してくる空気中の塵埃を放電によって帯電させ（イオン化）、帯電した塵埃を吸着して捕集する。かかる電気集塵機２２自体の構成は周知であり、詳しい説明は省略するが、前後面が開口した枠組み状のケース２２０の内部に、放電ないし集塵の電極板２２１が多数並設されており、前記プレフィルター２１と同様に、本体ケース１１内の所定の収納位置に着脱自在なユニットとして構成されている。電気集塵機２２も、目詰まりを防ぐために定期的な清掃や部品交換等を含む保守点検が必要となる。
【００４４】
本体ケース１１内における集塵手段２０の収納空間は、そのまま本体ケース１１の両側方に開口しており、集塵手段２０の保守点検時に出し入れする前記開口部１４となっている。ここで収納空間は、プレフィルター２１の収納位置と電気集塵機２２の収納位置とに区画されている。
プレフィルター２１の収納位置は、本体ケース１１の枠組みの前面開口に沿う最前方にあり、当該位置には、底面部１５上にベース台１５ｃが固定されることで区画されている。ベース台１５ｃは、各開口部１４間に亘って延びており、その前後幅はプレフィルター２１の取付枠２１０の奥行きに合致している。
【００４５】
ベース台１５ｃの前端縁の直ぐ前方には、前記支柱材１７ａが立設しており、ベース台１５ｃの後端縁には、プレフィルター２１が電気集塵機２２の収納位置側へずれないためのフランジ１５ｄが立設されている。また、ベース台１５ｃの両端、すなわち各開口部１４の傍らには、それぞれ集塵手段２０を収納位置に着脱可能に拘束するためのロック機構４０が設けられている。ロック機構４０について詳しくは後述する。なお、プレフィルター２１の収納位置には、フィルター材２１１のプリーツ（折りひだ）の浅さや深さを調整可能なスペースを設けても良い。
【００４６】
一方、電気集塵機２２の収納位置は、プレフィルター２１の収納位置の直ぐ後方より、送風手段３０前の空き空間の手前までである。電気集塵機２２の収納位置の後端は、前記空き空間にて底面部１５上に載置されたベース台１５ｅの端面や前記支柱材１７ｂによって区画されている。電気集塵機２２の収納位置は、各開口部１４間の全幅に亘っており、その前後幅は電気集塵機２２のケース２２０の奥行きに合致している。
【００４７】
電気集塵機２２の収納位置の上方に位置する天井部１６の内面側には、位置決め用の切欠１６ｃが各開口部１４間の全幅に亘って延びるように設けられている。かかる切欠１６ｃは、ケース２２０の後端縁に沿って設けられた突条のレール２２２が合致することで、電気集塵機２２を各開口部１４より本体ケース１１内に収める際に、電気集塵機２２の前後が逆向きになることを防ぐものである。レール２２２の両端は、それぞれ切欠１６ｃの端から挿入しやすいように中央に向かってテーパー状の傾斜している。
【００４８】
電気集塵機２２のケース２２０の両側面には、それぞれ取手２２３と脚部２２４が設けられている。取手２２３を掴むことで、電気集塵機２２の出し入れ作業や持ち運びが容易となる。また、取手２２３の両端部と一対の脚部２２４とにより、ケース２２０の両側面を床面に直に接触させることなく載置することができる。なお、電気集塵機２２の収納位置における底面部１５上にも、電気集塵機２２を両側方向に円滑に摺動させるためのスライドレールを設ければ、重量が重たい電気集塵機２２でも出し入れ作業が容易となる。
【００４９】
集塵手段２０であるプレフィルター２１や電気集塵機２２は、それぞれ本体ケース１１内における収納位置がそのまま側方に開口した開口部１４を通じて出し入れ可能である。ここで開口部１４は、集塵手段２０のほか、送風手段３０の全部または一部も出し入れ可能な大きさに形成されている。すなわち、開口部１４には、プレフィルター２１と電気集塵機２２の収納位置の開口に加えて、送風手段３０前の空き空間の開口も含まれており、後述するが送風手段３０のファン３２を外して出し入れすることができる。また、送風手段３０全体を本体ケース１１内に着脱可能に構成することで、送風手段３０の収納空間における両側方の開口も開口部１４として含めても良い。
【００５０】
図７〜図１０に示すように、電気集塵機２２に電力を供給するための給電部は、電気集塵機２２における空気の流れの下流側に配置されている。電気集塵機２２では、ケース２２０の前面開口が前記プレフィルター２１に対向する上流側となり、ケース２２０の後面開口が送風手段３０に対向する下流側となるが、給電部はケース２２０の後面開口に面して設けられている。給電部は、電気集塵機２２側の電極接点２４と、本体ケース１１側の電極接点２８とを備えてなる。各電極接点２４，２８は、互いに凹凸構造の嵌合によって密閉される状態で接触するように構成されている。
【００５１】
すなわち、図７に示すように、電気集塵機２２のケース２２０で後面開口を囲む下端部と上端部には、それぞれ両側に並ぶ係合凹部２３，２３が一対ずつ形成されており、各係合凹部２３の奥端面部に、それぞれ平板状の電極接点２４が設けられている。ここで係合凹部２３の両側は、奥端面部に向かって傾斜するテーパー面となっている。各電極接点２４は、ステンレス等の金属や導電性プラステック等の導電性の材質で形成されている。
【００５２】
一方、本体ケース１１内にて、電気集塵機２２の収納位置の後端を区画する前記ベース台１５ｅの端面には、該端面と直交する方向へ出没可能な一対の係合凸部２７，２７が設けられている。また、図示省略したが、本体ケース１１内にて吹出部１３の内側付近にも、電気集塵機２２の上側にある各電極接点２４に対向配置される一対の係合凸部２７，２７を設けることが可能である。
【００５３】
各係合凸部２７は、図１０に示すように、本体ケース１１内にて固定された支持ブラケット２５に対して可動軸２６を介して出没可能に支持されている。ここで各係合凸部２７は、図示省略したバネ等の付勢手段によって、それぞれ突出する方向へ常時付勢されている。各係合凸部２７の先端面部に、それぞれステンレス等の金属板を湾曲させた板バネ状の電極接点２８が設けられている。ここで係合凸部２７の両側は、先端面部に向かって傾斜するテーパー面となっている。また、電極接点２８は、その板バネ自体の弾性によって、係合凸部２７の出没方向と同方向へ変位可能となっている。
【００５４】
電気集塵機２２側の電極接点２４と本体ケース１１側の電極接点２８との凹凸構造について、本実施の形態では、電気集塵機２２側の電極接点２４を凹状とし、本体ケース１１側の電極接点２８を凸状としたが、これは、凹凸構造の嵌合によって密閉される際に、より空気の流れから遮断しやすいためである。ただし、逆に態様として、電気集塵機２２側の電極接点２４を凸状とし、本体ケース１１側の電極接点２８を凹状としても良い。
【００５５】
図１１，図１２に示すように、本体ケース１１の各開口部１４の傍らにあるロック機構４０は、スライドロック式のストッパーにより構成されている。各ロック機構４０は、ベース台１５ｃ（図５参照）の両端に固設されている。図１１（ａ）は、ロック機構４０の拘束時の斜視図であり、図１１（ｂ）は、ロック機構４０の拘束時の装置全体の斜視図である。図１２（ａ）は、ロック機構４０の拘束解除時の斜視図であり、図１２（ｂ）は、ロック機構４０の拘束解除時の装置全体の斜視図である。
【００５６】
各ロック機構４０は、集塵手段２０であるプレフィルター２１と電気集塵機２２を、同時に本体ケース１１内の収納位置に拘束（外れないように固定）するものである。本ロック機構４０では、何れか一方の拘束解除により、該一方がある側の開口部１４より、プレフィルター２１と電気集塵機２２（集塵手段２０）を本体ケース１１内に出し入れ可能となる。各ロック機構４０は、本体ケース１１内においてプレフィルター２１の収納位置にあるベース台１５ｃ（図５参照）の両端に固設されている。
【００５７】
図１１（ａ），図１２（ａ）に示すように、ロック機構４０は、ケース状のプラケット４１と、該プラケット４１内に軸支され左右方向（軸方向）にスライドするロックピン４２とから構成されている。ロックピン４２の途中には、操作用のツマミ４３が係合軸４３ａを介して一体に突設されている。プラケット４１には、ロックピン４２をスライドさせるためのツマミ４３の操作に伴って、係合軸４３ａが移動可能に嵌合するための被係合溝４１ａ〜４１ｃが設けられている。
【００５８】
図１１（ａ），（ｂ）に示すように、ロックピン４２の一端がプラケット４１より右側方へ突出した拘束状態では、ツマミ４３の係合軸４３ａは、被係合溝４１ｃの一端より上方へ突出している。かかる拘束状態にて、ロックピン４２の一端は、電気集塵機２２の手前に係合するため、電気集塵機２２は、開口部１４から取り出すことができず、また、ツマミ４３はプレフィルター２１の手前に係合するため、プレフィルター２１も開口部１４から取り出すことができない。
【００５９】
拘束状態にあったツマミ４３を、被係合溝４１ｃの一端より他端へ動かすと、ロックピン４２は左側へと軸方向へスライドし、ロックピン４２の一端はプラケット４１内に没入する。さらに、ツマミ４３を、被係合溝４１ｃの他端より手前へ倒すと、ロックピン４２は軸心周りに回転し、ツマミ４３の係合軸４３ａは、被係合溝４１ｂを経て被係合溝４１ａの下端に嵌合して拘束解除状態となる。
【００６０】
図１２（ａ），（ｂ）に示すように、ロックピン４２の一端がプラケット４１内に没入し、逆にロックピン４２の他端がプラケット４１より左側方へ突出した拘束解除状態では、ツマミ４３の係合軸４３ａは、被係合溝４１ａの下端より前方へ突出している。かかる拘束状態にて、ロックピン４２の一端は、電気集塵機２２の手前から外れるため、電気集塵機２２を開口部１４から取り出すことができ、また、ツマミ４３はプレフィルター２１の手前から外れるため、プレフィルター２１も開口部１４から取り出すことができる。さらに、図１３にも示すように、ツマミ４３は開口部１４より手前へ突出するため、後述の側面パネル５０等を装着することができない。
【００６１】
また、図１に示すように、本体ケース１１内において、電気集塵機２２の下流側は、前述した空き空間をおいて送風手段３０が収納されている。送風手段３０は、ファン３２が回転することにより、本体ケース１１の吸込部１２から空気を取り入れて、プレフィルター２１と電気集塵機２２とを順に通過させた後、吹出部１３等から外部へ送り出すものである。送風手段３０は、箱状のハウジング３１内に、送風用のファン３２と、ファン３２を回転させる電動モーター（図示せず）等を備え、ユニットとして構成されている。
【００６２】
ファン３２は、具体的には例えば、静圧が高く大風量のターボファンが採用されている。ターボファンは、その上流側に面する径方向内側から空気を渦巻き状に吸い込み、その全周に亘って径方向外側へ吐出するように構成されている。かかるファン３２は、ハウジング３１から取り外して前記各々開口部１４より外部へ出し入れすることができる。ここでハウジング３１は、本体ケース１１内に原則として固定されているが、ネジ等を取り外すことで外部へ取り出すことができる。
【００６３】
送風手段３０のハウジング３１は、その両側面が各開口部１４と同一面上に連なっており、本体ケース１１の側面を兼ねている。これにより、空気清浄装置１０全体の軽量化を図ることができ、コスト低減も可能となる。  
本体ケース１１にて、ファン３２の全周より吐出される清浄後の空気は、主に排気カバー１３０に覆われた吹出部１３と、次述する側面パネル５０に設けられた吹出口５２から外部へ送出（メイン）され、また、屋根部１９に設けられた吹出口１３ａ，１３ｂからも送出（サブ）されるように構成されている。
【００６４】
送風手段３０の排気側は、吹出部１３と連通しているが、図１に示すように、天井部１６の内側にて、ファン３２の外周が対向する箇所には、ハウジング３１の上面開口と通気口１８ａを介して連通する排気空間１８が設けられている。排気空間１８の上側に位置する天井部１６上の所定箇所には、上方へ所定高さだけ突出する屋根部１９が設けられている。屋根部１９の前後の端面には、それぞれ前記吹出部１３とは別に空気の吹出口１３ａ，１３ｂが設けられている。かかる屋根部１９および前後の吹出口１３ａ，１３ｂは、ハウジング３１の上面開口から排出された空気の上方への流れを、なるべくターボファン軸方向（前後方向）へも変更するための経路変更部となっている。
【００６５】
また、図１において、本体ケース１１における各開口部１４は、前述したが通常時は保守カバー６０で塞がれており、さらに保守カバー６０の上から側面パネル５０によって覆われている。保守カバー６０は、開口部１４の大きさにほぼ合致した矩形の板材からなり、本体ケース１１の開口部１４に対して工具なしで着脱可能に構成されている。すなわち、保守カバー６０の下端縁には、開口部１４の下端側にある係止溝に着脱可能に係止される差込片６１が設けられている。また、保守カバー６０の上側には、開口部１４の上端側に対して着脱可能に固定できる周知のワンタッチ式のロック機構６２が設けられている。
【００６６】
側面パネル５０は、開口部１４に送風手段３０のハウジング３１の側面を合わせ、さらに前後の各カバー１２０，１３０の両側壁の一部も覆う大きさの平行四辺形の板材から形成されている。側面パネル５０も、前記保守カバー６０と同様に本体ケース１１の開口部１４に対して工具なしで着脱可能に構成されている。すなわち、側面パネル５０の下端縁には、開口部１４の下端側に着脱可能に係止される磁石等の係止手段が設けられている。また、側面パネル５０の上端縁には、天井部１６の側端縁に沿わせる係止片５１が連結されていると共に、側面パネル５０の上側には、開口部１４の上端側に対して着脱可能に固定できる周知のワンタッチ式のロック機構（図示せず）を適宜採用すると良い。
【００６７】
本実施の形態に係る側面パネル５０は、開く際に本体ケース１１から取り外せるものであるが、側面パネル５０の一端縁など一部を本体ケース１１に連結した状態で開閉可能に構成しても良い。いずれの構成にせよ、側面パネル５０や保守カバー６０を開く（取り外す）ことにより、集塵手段２０であるプレフィルター２１や電気集塵機２２、それに送風手段３０のファン３２を本体ケース１１内から外部へ取り出すことができるようになっている。
【００６８】
また、側面パネル５０の上端の一端側には、吹出部１３や屋根部１９の吹出口１３ａ，１３ｂとはまた別に、横長の吹出口５２が開設されている。吹出口５２には、下端縁を軸として上縁側が外側へ回動して開閉角度を調整可能なフラップ５３が設けられており、空気の吹き出し方向をある程度調整することができるようになっている。
【００６９】
次に、本空気清浄装置１０の作用について説明する。  
本空気清浄装置１０は、図１５に示すように、パチンコ店において遊技機島１の上部に設置される。空気清浄装置１０の設置時には、遊技機島１を特に改造する必要はなく、独立して提供される空気清浄装置１０を既存の遊技機島１上に載せて取り付けるだけで済む。空気清浄装置１０は、パチンコ店内における空気の循環方向等の環境設計に応じて、遊技機島１上の任意の箇所に設置することができる。
【００７０】
空気清浄装置１０の本体ケース１１の向きは、その両側方にある各開口部１４が、それぞれ遊技機島１の両側にある通路に面するように取り付ける。なお、遊技機２を壁面に沿って一列に並設した片側専用の遊技機島では、空気清浄装置１０の設置に際して、本体ケース１１の各開口部１４を特に区別する必要はなく、パチンコ店内における環境設計のみを考慮して、どちらの開口部１４であっても正面通路側を向くようにすれば足り、空気清浄装置１０の設置の自由度は向上する。
【００７１】
本体ケース１１は立方体の箱状に形成されており、前面側に吸込部１２が設けられ、前面側と相対向する後面側に吹出部１３が設けられている。そして、本体ケース１１の前後面と略直交する両側面に、それぞれ開口部１４が設けられている。かかる構成によれば、本体ケース１１の各面ごとに機能が明確に区別できて分かり易く、設置箇所にて配置する向きも容易に定めることができる。すなわち、本体ケース１１の両側面（開口部１４）を、通路側に向けるように配置すれば良く、後述する集塵手段２０を出し入れする際の作業スペースを通路上に確保することができる。
【００７２】
図１５において、破線の矢印は、遊技機２の近傍から立ち上がるタバコの煙等を含む空気が、遊技機島１上に設置された空気清浄装置１０に取り込まれる流れを表している。また、実線の矢印は、空気清浄装置１０により浄化された空気が、外部へ排気される流れを表している。パチンコ店では喫煙可であることが多いため、タバコの煙等で空気が汚れがちとなるが、空気清浄装置１０による空気の浄化によって、パチンコ店内を快適な環境に維持することができる。
【００７３】
空気清浄装置１０が作動すると、送風手段３０のファン３２が回転し、本体ケース１１の吸込部１２より外部の空気が取り込まれる。また、外部の空気は、吸込部１２のほか、天井部１６にある吸気口１２ａからも補助的に取り込まれる。本体ケース１１内における空気の流れは、先ずプレフィルター２１によって比較的大きな塵埃が捕集され、次いで電気集塵機２２によって小さい塵埃も電気的に捕集され、ある程度の脱臭もなされる。このように浄化された空気は、吹出部１３や側面パネル５０にある吹出口５２のほか、屋根部１９の前後の吹出口１３ａ，１３ｂからも外部へ排出される。
【００７４】
パチンコ店内では遊技者が遊技中に喫煙することも多く、このような環境下で使用する空気清浄装置１０には、一般家庭用の空気清浄機以上に高い性能が要求される。かかる性能に関して、吸込部１２の開口面積と、集塵手段２０における空気吸込側正面の面積との具体的な関係も重要となる。前述したように、吸込部１２の開口面積は、吸気カバー１２０にある各孔の面積の合計であり、空気吸込側正面の面積は、プレフィルター２１の取付枠２１０の開口面積である。ここで吸込部１２の開口面積が、取付枠２１０の開口面積に対して大きいほど、吸込部１２における空気の吸引効率を高めることができる。
【００７５】
図１からも分かるように、プレフィルター２１の取付枠２１０の開口面積は、吸込部１２の前面をなす吸気カバー１２０の正面壁の面積とほぼ等しい。よって、吸気カバー１２０の正面壁からプレフィルター２１まで距離をあけて、吸気カバー１２０の両側壁も吸込部１２に加えることで、吸気カバー１２０における孔以外の部分の面積を差し引いても、吸込部１２の開口面積をプレフィルター２１の開口面積よりも大きく設定することができる。
【００７６】
言い換えれば、本体ケース１１の前面だけでなく、側面の前端側の一部も吸込部１２として形成することになる。これにより、吸込部１２が、取付枠２１０の大きさに合致する本体ケース１１の前面だけの場合に比べて、本体ケース１１内に取り込む空気の風量を増加させることが可能となり、集塵機能を向上させることができる。
【００７７】
仮に、本体ケース１１の前面のみ吸込部として形成すると、プレフィルター２１の正面に至る空気の流れは、取付枠２１０の中央寄りに偏りがちとなる。一方、本実施の形態の吸込部１２のように、本体ケース１１の前面のみならず、側面の前端側も前面と一続きの吸込部としたことで、取付枠２１０の両端付近にも空気を隈無く通過させることができる。これにより、プレフィルター２１の全域を満遍なく活用することが可能となり、フィルター材２１１の汚れにムラが生じることも防ぐことができる。
【００７８】
また、本実施の形態では、送風手段３０のファン３２としてターボファンを採用したため、他のファンと比較して吹き出し方向の制限が少なくなる。よって、送風手段３０から排出された空気を、本体ケース１１の後面側にある吹出部１３だけでなく、屋根部１９の前後の吹出口１３ａ，１３ｂより、本体ケース１１の前後上方へ送り出したり、また、側面パネル５０の吹出口５２からも、本体ケース１１の両側方へ送り出すことも可能となる。このように、ルーバー等の可動物によらず、空気を多方向へ吹き出すことが可能となり、故障のリスクも低減する。
【００７９】
パチンコ店内のような環境下では、空気清浄装置１０における集塵手段２０の掃除や部品交換等の保守点検も高頻度で必要となる。図１４に示すように、本空気清浄装置１０によれば、本体ケース１１の相対向する２側方に面して開口部１４があり、いずれの開口部１４からでも本体ケース１１内の集塵手段２０を出し入れすることができる。ここで各開口部１４は、本体ケース１１の吸込部１２や吹出部１３とは別であり、これらの位置や大きさ等の設計仕様（条件）に制限されることなく、独立した開口として自由に設計することができる。また、集塵手段２０は、吸込部１２や吹出部１３に対して干渉することなく、各開口部１４から自由に出し入れすることができる。
【００８０】
空気清浄装置１０は遊技機島１上において、前述したように各開口部１４がそれぞれ通路側を向くように配置される。これにより、空気清浄装置１０に対して、どちらの通路側からでも開口部１４に近づくことが可能となる。よって、空気清浄装置１０に対する方向性を特に気にすることもなく、集塵手段２０の取り出しが容易となり保守点検作業を効率良く行うことができる。そのため、空気清浄装置１０における空気の流れ（風量）を常に最適な状態に保つことができ、集塵性能を維持できるだけでなく、ファン３２の負荷も電力コストも低減でき、故障も未然に防止することができる。
【００８１】
集塵手段２０は、本実施の形態ではプレフィルター２１と電気集塵機２２であるが、それぞれユニットとして構成されている。これにより、各開口部１４からのプレフィルター２１や電気集塵機２２の出し入れは、ユニットを単に本体ケース１１に着脱（出し入れ）するように容易に行うことが可能となる。また、各開口部１４からは、集塵手段２０のほか、送風手段３０のフィン３２の部分だけを、ハウジング３１から外して出し入れすることもできる。もちろん、送風手段３０全体を、各開口部１４から容易に出し入れできるようにしても構わない。
【００８２】
本体ケース１１における各開口部１４は、通常時は保守カバー６０で塞がれており、さらに保守カバー６０の上から側面パネル５０によって覆われている。これにより、本体ケース１１内の集塵手段２０を出し入れしない時は、開口部１４を閉じて集塵手段２０や送風手段３０等の内部構成を隠蔽することができ、必要に応じて密閉状態に閉じられるように構成しても良い。
【００８３】
保守カバー６０は、その下端縁にある差込片６１を開口部１４の下端側に係止した状態でロック機構６２により、工具等を用いることなく開口部１４を塞ぐように容易に装着することができる。また、側面パネル５０も、その上端縁にある係止片５１を天井部１６の側端縁に沿わせた状態でロック機構（図示せず）により、工具等を用いることなく開口部１４を含む側面を覆うように容易に装着することができる。
【００８４】
本実施の形態に係る側面パネル５０は、開く際に本体ケース１１から取り外せるものであるが、側面パネル５０の一端縁など一部を本体ケース１１に連結した状態で開閉可能に構成しても良い。いずれの構成にせよ、側面パネル５０や保守カバー６０を開く（取り外す）ことにより、集塵手段２０であるプレフィルター２１や電気集塵機２２、それに送風手段３０のファン３２を本体ケース１１内から外部へ取り出すことができる。
【００８５】
また、側面パネル５０は、本体ケース１１の外郭の主要部をなしており、開口部１４を塞ぐだけでなく装飾性も兼ね備えることで、空気清浄装置１０の外観の意匠性を高めることができる。すなわち、側面パネル５０の形状のほか、外表面の模様や材質等を工夫すると良い。側面パネル５０の材質に関しては、単位当たりの重量が本体ケース１１を構成する材質よりも軽量なものを採用することで、空気清浄装置１０全体の軽量化のみならず、着脱する際の作業性を向上させることができる。
【００８６】
本体ケース１１内にて、プレフィルター２１や電気集塵機２２は、それぞれの収納位置に収められるが、各開口部１４の傍らにあるロック機構４０によって、不用意に動かぬように固定される。ここで各ロック機構４０は、何れか一方の拘束解除により、該一方がある側の開口部１４からプレフィルター２１や電気集塵機２２を本体ケース１１内に出し入れ可能となる。よって、他方の開口部１４側のロック機構４０は操作することなく、一方の開口部１４側のロック機構４０の操作だけで、集塵手段２０を出し入れする側の開口部１４から拘束ないし拘束解除することができる。
【００８７】
かかるロック機構４０により、プレフィルター２１や電気集塵機２２は、本体ケース１１内のそれぞれの収納位置に確実に保持することができ、また容易に取り外すことも可能となり、集塵手段２０を出し入れする際の安全性が向上する。特に、本実施の形態に係るロック機構４０によれば、プレフィルター２１や電気集塵機２２を、それぞれ一連の動作で同時に拘束ないし拘束解除することを可能とする。このようなロック機構４０は、スライドロック式のストッパーからなり、簡易な構成であり動力も必要とせず、容易に手動で操作することができる。
【００８８】
図１１（ａ），（ｂ）に示すように、ロック機構４０が拘束状態にある時、ロックピン４２の一端は、プラケット４１より右側方へ突出して、電気集塵機２２の手前に係合しており、電気集塵機２２を開口部１４から取り出すことができない。また、ツマミ４３は、プラケット４１の被係合溝４１ｃの一端より上方へ突出して、プレフィルター２１の手前に係合しており、プレフィルター２１も開口部１４から取り出すことができない。
【００８９】
電気集塵機２２等を本体ケース１１内に出し入れする際は、ツマミ４３を被係合溝４１ｃの一端より他端へ動かして、ロックピン４２を左側へ軸方向にスライドさせてプラケット４１内に一端を没入させる。さらに、図１２（ａ），（ｂ）に示すように、ツマミ４３を被係合溝４１ｃの他端より手前へ倒すと、被係合溝４１ｂを経て被係合溝４１ａの下端まで移動する。これにより、プレフィルター２１と電気集塵機２２の拘束を、ツマミ４３の一連の操作のみで同時に解除することができる。さらに、ロック機構４０が拘束解除状態にあるときは、前述したように、ツマミ４３が開口部１４より手前へ突出するため、保守カバー６０や側面パネル５０を装着することができない。
【００９０】
パチンコ店のように、喫煙者の割合が比較的多く環境負荷が大きい場合には、電気集塵機２２にも汚れが付着しやすい。電気集塵機２２に電力を供給する給電部の電極接点２４，２８に汚れが付着すると、高電圧が汚れを伝い放電する現象（リーク）が発生して問題となる。かかる課題を解決するためには、電極接点２４，２８へ汚れが付着することを極力防止することが重要となる。
【００９１】
そこで、本空気清浄装置１０では、給電部を構成する電気集塵機２２側の電極接点２４と本体ケース１１側の電極接点２８とを、電気集塵機２２における空気の流れの下流側、すなわちケース２２０の後面開口に面するように配置している。これにより、電極接点２４，２８に対する汚れの付着を極力防止することができ、前記リークによる漏電も防止できるだけでなく、電極接点２４，２８の清掃時間も削減することができ、給電部のメンテナンス性が向上する。
【００９２】
図９および図１０に示すように、各電極接点２４，２８は、互いに係合凹部２３と係合凸部２７との凹凸構造の嵌合によって密閉される状態で接触する。これにより、各電極接点２４，２８以外の接触面積を増やすことで密閉効果が高まり、各電極接点２４，２８は、位置ずれすることもなく確実に接触させることができる。また、各電極接点２４，２８は接触した状態では外部に露出しないため、汚れの侵入を防ぐことができる。
【００９３】
電気集塵機２２が本体ケース１１内に収納されている際、本体ケース１１側の係合凸部２７は、集塵ユニット側の係合凹部２３に嵌合している。この時、係合凸部２７にある電極接点２８と係合凹部２３にある電極接点２４とは互いに接触した状態となる。かかる状態から、電気集塵機２２を本体ケース１１内から取り外し始めると、電気集塵機２２の係合凹部２３は、本体ケース１１の係合凸部２７に係合する位置から側方へ移動しながら外れる。
【００９４】
逆に、電気集塵機２２を取り外した状態から、本体ケース１１内に収納し始めると、本体ケース１１側の係合凸部２７は、電気集塵機２２のケース２２０の隅に押されて凹み、係合凹部２３が合致する位置まで移動してくると、係合凸部２７は係合凹部２３に嵌合する。これにより、係合凸部２７にある電極接点２８は、係合凹部２３にある電極接点２８に接触した状態となる。なお、電気集塵機２２の収納に際しては、反対側の開口部１４にあるロック機構４０によって、各電極接点２４，２８が接触する状態に位置決めされる。
【００９５】
以上に説明した本実施の形態からは、本発明とは別に次の発明概念も導かれる。
前記集塵手段２０は、前記本体ケース１１内にて前記吸込部１２に対向して配置され、外部からの空気を始めに通過させて塵埃を捕集するプレフィルター２１と、該プレフィルター２１の下流側に配置され、該プレフィルター２１を通過した塵埃に電荷を与えて捕集する電気集塵機２２と、を少なくとも含み、
前記本体ケース１１内には、前記プレフィルター２１および前記電気集塵機２２をそれぞれ配置する収納位置が予め設定されていることを特徴とする空気清浄装置１０。
【００９６】
また、次のような別の発明概念も導かれる。
前記吸込部１２の正面は、前記本体ケース１１内の集塵手段２０における空気吸込側正面より離隔して配され、
前記吸込部１２は、本体ケース１１の前面をなす正面壁に加えて、該正面壁の両側に連なり本体ケース１１の両側面の前端側をなす両側壁を備え、
前記吸込部１２の正面壁および両側壁には、連続して配列する多数の孔が設けられていることを特徴とする空気清浄装置１０。
【００９７】
かかる本発明概念に従属する発明概念は、次のように表される。  
前記吸込部１２における開口面積は、少なくとも前記集塵手段２０における空気吸込側正面の開口面積と同等以上に設定されていることを特徴とする空気清浄装置１０。
ここで集塵手段２０における空気吸込側正面の開口面積とは、具体的にはプレフィルター２１の取付枠２１０の開口面積に相当する。
【００９８】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、空気清浄装置１０は、パチンコ店での利用に限らず他の遊技施設に利用したり、他の様々な屋内施設においても使用することができる。また、本体ケース１１は略立方体の箱状に限られず、相対向する２側方に面する外壁があれば、他に例えば、多角形や円筒形状であっても良い。
【００９９】
また、集塵手段２０の構成も一例に過ぎず、プレフィルター２１や電気集塵機２２に加えて、脱臭フィルターや光触媒ユニット、マイナスイオン発生機を付加すれば、脱臭フィルターや光触媒ユニットによりさらなる脱臭処理や除菌処理を行うことができ、マイナスイオン発生機によりマイナスイオン付加処理を行うことができ、空気の脱臭・除菌効果を高めることができる。ここで、集塵手段２０を構成することになる脱臭フィルターや光触媒ユニット、マイナスイオン発生機についても、それぞれ前記各開口部１４から出し入れ可能に構成することは言うまでもない。
【産業上の利用可能性】
【０１００】
本発明に係る空気清浄装置はパチンコ店等の遊技施設のほかにも、他の様々な施設において幅広く利用することができる。
【符号の説明】
【０１０１】
１…遊技機島
２…遊技機
１０…空気清浄装置
１１…本体ケース
１２…吸込部
１２ａ…吸気口
１３…吹出部
１４…開口部
１５…底面部
１５ｃ…ベース台
１６…天井部
１６ｃ…切欠
１８…排気空間
１９…屋根部
２０…集塵手段
２１…プレフィルター
２２…電気集塵機
２３…係合凹部
２４…電極接点
２７…係合凸部
２８…電極接点
３０…送風手段
３１…ハウジング
３２…ファン
４０…ロック機構
４１…プラケット
４２…ロックピン
４３…ツマミ
５０…側面パネル
５１…係止片
５２…吹出口
５３…フラップ
６０…保守カバー
６１…差込片
６２…ロック機構
【図１】
2018089568.tif 000003
【図２】
2018089568.tif 000004
【図３】
2018089568.tif 000005
【図４】
2018089568.tif 000006
【図５】
2018089568.tif 000007
【図６】
2018089568.tif 000008
【図７】
2018089568.tif 000009
【図８】
2018089568.tif 000010
【図９】
2018089568.tif 000011
【図１０】
2018089568.tif 000012
【図１１】
2018089568.tif 000013
【図１２】
2018089568.tif 000014
【図１３】
2018089568.tif 000015
【図１４】
2018089568.tif 000016
【図１５】
2018089568.tif 000017
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
本体ケース内に空気中の塵挨を捕集する集塵手段が収納された空気清浄装置において、
前記本体ケースは、前記集塵手段に送る空気を外部から取り入れる吸込部と、前記集塵手段を通過した空気を外部へ送り出す吹出部とを備え、
前記本体ケースの相対向する２側方に面して、前記吸込部および前記吹出部とは別に、前記集塵手段を２側方よりそれぞれ本体ケース内に出し入れ可能な開口部が設けられ、
前記本体ケース内に、外部から空気を取り入れて前記集塵手段を通過させる送風手段も収納され、
前記開口部は、前記集塵手段のほか、前記送風手段の全部または一部も出し入れ可能な大きさに形成されたことを特徴とする空気清浄装置。
【請求項２】
前記集塵手段は、通過する空気中の塵埃に電荷を与えて捕集する電気集塵機を少なくとも含み、
前記電気集塵機に電力を供給するための給電部は、電気集塵機における空気の流れの下流側に配置されたことを特徴とする請求項１に記載の空気清浄装置。
【請求項３】
前記給電部は、前記本体ケース側の電極接点と、前記電気集塵機側の電極接点とを備え、各電極接点は、互いに凹凸構造の嵌合によって密閉される状態で接触することを特徴とする請求項２に記載の空気清浄装置。
【手続補正２】
【補正対象書類名】明細書
【補正対象項目名】０００８
【補正方法】変更
【補正の内容】
【０００８】
前述した目的を達成するための本発明の要旨とするところは、以下の各項の発明に存する。  
［１］本体ケース（１１）内に空気中の塵挨を捕集する集塵手段（２０）が収納された空気清浄装置（１０）において、
前記本体ケース（１１）は、前記集塵手段（２０）に送る空気を外部から取り入れる吸込部（１２）と、前記集塵手段（２０）を通過した空気を外部へ送り出す吹出部（１３）とを備え、
前記本体ケース（１１）の相対向する２側方に面して、前記吸込部（１２）および前記吹出部（１３）とは別に、前記集塵手段（２０）を２側方よりそれぞれ本体ケース（１１）内に出し入れ可能な開口部（１４）が設けられ、
前記本体ケース（１１）内に、外部から空気を取り入れて前記集塵手段（２０）を通過させる送風手段（３０）も収納され、
前記開口部（１４）は、前記集塵手段（２０）のほか、前記送風手段（３０）の全部または一部も出し入れ可能な大きさに形成されたことを特徴とする空気清浄装置（１０）。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
［２］前記集塵手段（２０）は、通過する空気中の塵埃に電荷を与えて捕集する電気集塵機（２２）を少なくとも含み、
前記電気集塵機（２２）に電力を供給するための給電部は、電気集塵機（２２）における空気の流れの下流側に配置されたことを特徴とする前記［１］に記載の空気清浄装置（１０）。
【手続補正６】
【補正対象書類名】明細書
【補正対象項目名】００１２
【補正方法】変更
【補正の内容】
【００１２】
［３］前記給電部は、前記本体ケース（１１）側の電極接点（２８）と、前記電気集塵機（２２）側の電極接点（２４）とを備え、各電極接点（２４，２８）は、互いに凹凸構造の嵌合によって密閉される状態で接触することを特徴とする前記［２］に記載の空気清浄装置（１０）。
【手続補正７】
【補正対象書類名】明細書
【補正対象項目名】００１６
【補正方法】変更
【補正の内容】
【００１６】
また、本体ケース（１１）内には、外部から空気を取り入れて集塵手段（２０）を通過させる送風手段（３０）も収納されている。そして、前記開口部（１４）は、集塵手段（２０）のほか、送風手段（３０）の全部または一部も出し入れ可能な大きさに形成されている。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
前記［２］に記載の空気清浄装置（１０）によれば、前記集塵手段（２０）は、通過する空気中の塵埃に電荷を与えて捕集する電気集塵機（２２）を少なくとも含むものである。この電気集塵機（２２）に電力を供給するための給電部は、電気集塵機（２２）における空気の流れの下流側に配置される。
【手続補正１１】
【補正対象書類名】明細書
【補正対象項目名】００２２
【補正方法】変更
【補正の内容】
【００２２】
前記［３］に記載の空気清浄装置（１０）によれば、前記給電部は、本体ケース（１１）側の電極接点（２８）と、電気集塵機（２２）側の電極接点（２４）とを備え、各電極接点（２４，２８）は、互いに凹凸構造の嵌合によって密閉される状態で接触する。これにより、各電極接点（２４，２８）が位置ずれすることはなく、確実に接触させることができる。また、各電極接点（２４，２８）は接触した状態では外部に露出しないため、汚れの侵入を防ぐことができる。
【手続補正１２】
【補正対象書類名】明細書
【補正対象項目名】００２３
【補正方法】変更
【補正の内容】
【００２３】
本発明に係る空気清浄装置によれば、本体ケースの相対向する２側方のどちら側からでも、内部の集塵手段を自由に出し入れすることが可能であり、集塵手段の保守点検を容易に行うことができる。また、集塵手段の出し入れに関して、吸込口に何ら制限されることはなく自由に設計することができる。また、送風手段についても、本体ケースの２側方よりそれぞれ本体ケース内に出し入れすることができる。